(57)【要約】【課題】複数の光源を使用しながら、効率よく集光して照明することができる。【解決手段】インテグレータレンズ５０の光軸Ｅ周りに回転楕円面の一部であるリフレクター３２Ａ、３２Ｂを対向配置し、それぞれの焦点位置にＬＥＤ４０Ａ、４０Ｂが配置される。そして、反射プリズム３４を光軸上に配置することによって、ＬＥＤ４０Ａ、４０Ｂから射出した光を、インテグレータレンズ５０に入射させる。このとき、インテグレータレンズ５０の入射角θ１が出射角θ２以下となるように、リフレクター３２Ａ、３２Ｂが配置される。【選択図】図５
2013207163.tif 000002
【特許請求の範囲】
【請求項１】
それぞれ焦点が規定される複数の凹面鏡と、
それぞれ対応する焦点位置に配置される複数の光源と、
前記複数の凹面鏡で反射した前記複数の光源からの光を反射して照度均一化光学系へ導く複数の反射面を有し、前記照度均一化光学系の光軸に沿って配置される反射光学素子とを備え、
単一の仮想凹面鏡とその焦点位置にある単一の仮想光源とを、前記照度均一化光学系の光軸に沿って反射光学素子後方側に規定したとき、前記複数の凹面鏡それぞれが、前記複数の反射面に対して前記仮想凹面鏡の一部と共役な位置に配置されており、また、前記複数の光源が、前記複数の反射面に対して前記仮想光源と共役な位置に配置されていることを特徴とする光源装置。
【請求項２】
前記複数の凹面鏡が、前記反射光学素子を中心として、前記照度均一化光学系の光軸周りに所定間隔で配置されることを特徴とする請求項１に記載の光源装置。
【請求項３】
前記複数の凹面鏡が、前記照度均一化光学系の光軸に関して対称的な位置に配置されることを特徴とする請求項２に記載の光源装置。
【請求項４】
前記照度均一化光学系への入射角が、前記照度均一化光学系の出射角に基づいた所定角度以下であることを特徴とする請求項１乃至３のいずれかに記載の光源装置。
【請求項５】
前記反射光学素子は、三角柱形状、三角錐形状、四角錐形状のいずれかであることを特徴とする請求項１乃至４のいずれかに記載の光源装置。
【請求項６】
前記反射光学素子の反射面は、前記照度均一化光学系の光軸に対して略４５°の角度となる位置に配置されることを特徴とする請求項５に記載の光源装置。
【請求項７】
前記複数の凹面鏡それぞれが、回転楕円面の一部であって、共役な位置として規定される前記複数の凹面鏡の他の焦点位置が前記照度均一化光学系の光軸上となるように、配置されることを特徴とする請求項１乃至６のいずれかに記載の光源装置。
【請求項８】
前記複数の凹面鏡それぞれが、回転放物面の一部であって、共役な位置として規定される前記複数の凹面鏡の準線が、前記照度均一化光学系の光軸に略垂直な平面と平行になるように配置されることを特徴とする請求項１乃至６のいずれかに記載の光源装置。
【請求項９】
前記複数の光源それぞれが、略円錐状の配光特性を有する面発光光源であることを特徴とする請求項１乃至８のいずれかに記載の光源装置。
【請求項１０】
前記複数の光源が、放射光の出射方向が異なる複数のＬＥＤを有することを特徴とする請求項１乃至９のいずれかに記載の光源装置。
【請求項１１】
前記照度均一化光学系が、インテグレータレンズを有することを特徴とする請求項１乃至１０のいずれかに記載の光源装置。
【請求項１２】
請求項１乃至１１のいずれかに記載された光源装置を備えた露光装置。
【発明の詳細な説明】
【技術分野】
【０００１】
本発明は、露光装置等に使用される光源装置に関し、特に、ＬＥＤなどの光源を複数配置させた光源装置の集光光学系に関する。
【背景技術】
【０００２】
露光装置に設けられた光源装置は、放電ランプ、あるいはＬＥＤなどの光源を備え、放電ランプ周囲には集光用リフレクターが配置されている。放電ランプから放射された光は、リフレクターで反射した後、照明光学系に入射する。
【０００３】
照明光学系では、インテグレータレンズによって照明光の照度が均一化され、また、コリメータレンズによって平行光に変換される。そして、照明光学系を出射した光は、マスク、あるいはＤＭＤなどの光変調素子アレイによってパターン光に変換された後、結像光学系によって基板表面に結像する。
【０００４】
さらに、複数の光源を配置させてマルチ点灯を行なうことにより、照度（露光量）を増加させることが可能である（例えば、特許文献１、２参照）。特に、ＬＥＤ光源など個々のランプの発光強度が大きくないランプを使用する場合、スループット向上を図るため、マルチ点灯によって照度アップすることが有効である。
【０００５】
しかしながら、照明光学系の入射面に向けて複数の放電ランプおよびリフレクターを配列した場合、複数のランプの全体的射出範囲に相当する集光円が大きくなり、インテグレータレンズへの入射角が大きくなる。入射角が大きくなると、インテグレータレンズに入射した照明光の一部が基板照射に利用されず、集光効率が低下する。
【０００６】
複数の光源を用いて集光効率を上げる方法として、各光源の光を略同じ場所に集める構成が知られている（特許文献３参照）。そこでは、反射プリズムを照明光学系の光軸上に配置することにより、複数の放電ランプからの光を光軸近傍に集め、その集光部分を輝点として、照明光を照明光学系に入射させる。
【先行技術文献】
【特許文献】
【０００７】
【特許文献１】特開２００６−２７８９０７号公報
【特許文献２】特開２００１−２５７１４８号公報
【特許文献３】特開２０００−１７１９０１号公報
【発明の概要】
【発明が解決しようとする課題】
【０００８】
ＬＥＤなどの光源は、それ自身が厚みのある面発光光源であり、また、光源から射出される光は拡散を伴う。そのような光を単に集光させても、その光を効率よく適正な入射角度でインテグレータレンズに入射させることはできず、集光効率が向上しない。
【０００９】
したがって、複数の光源を用いながら、効率よく照明光を照明光学系に入射させることが必要とされる。
【課題を解決するための手段】
【００１０】
本発明の光源装置は、露光装置に適用可能であり、それぞれ焦点が規定される複数の凹面鏡と、それぞれ対応する焦点位置に配置される複数の光源とを備える。さらに、前記複数の凹面鏡で反射した前記複数の光源からの光を反射して照度均一化光学系（例えば、インテグレータレンズ）へ導く複数の反射面を有し、前記照度均一化光学系の光軸に沿って配置される反射光学素子を備える。例えば、複数の光源は、ＬＥＤなど、略円錐状の配光特性を有する面発光光源によって構成される。
【００１１】
本発明では、単一の仮想凹面鏡とその焦点位置にある単一の仮想光源とを、前記照度均一化光学系の光軸に沿って反射光学素子後方側に規定したとき、前記複数の凹面鏡それぞれが、前記複数の反射面に対して前記仮想凹面鏡の一部と共役な位置に配置されており、また、前記複数の光源が、前記複数の反射面に対して前記仮想光源と共役な位置に配置されている。
【００１２】
すなわち、本発明では、単一の凹面鏡と単一の光源とを備えた光源部を、照度均一化光学系の光軸に沿って仮想規定できるように、複数の凹面鏡および複数の光源を光軸周囲に配置し、反射光学素子を照度均一化光学系の光軸上に沿って配置する。ただし、光学的に共役な位置とは、仮想の光源部から照度均一化光学系に入射する光の光路と、複数の凹面鏡、複数の光源および反射プリズムによって照度均一化光学系に入射する光の光路が、光学的に等価であることを示す。
【００１３】
本来、光源はそれ自身サイズをもち、配光特性をもつが、光学的に共役な位置に単一の凹面鏡、光源を規定することが可能な場合、複数の光源から照射される光を、あらかじめ定められた所定の入射角に従って進行させることが可能となる。
【００１４】
特に、出射方向（光軸の向き）の異なる複数の光源を配置することにより、仮想の凹面鏡の焦点位置にある仮想の光源からは、周方向全体に渡って径方向外側へ放射させることが可能であり、配光角が狭い光源を複数個配置することにより、管状放電ランプのように放射状の光を出射させて、照度均一化光学系に入射させることが可能となる。
【００１５】
照度均一化光学系を進行する過程での光量ロスを防ぐことを考慮すれば、照度均一化光学系への入射角が、前記照度均一化光学系の出射角に基づいた所定角度以下であるのが望ましい。例えば、入射角が出射角度以下となるように定められる。
【００１６】
凹面鏡の構成としては、回転楕円面の一部として形成することができる。例えば、回転楕円面を略等分割して複数の部分的回転楕円面を形成することが可能である。光学的に共役な位置に規定される前記複数の凹面鏡の他の焦点位置が、前記照度均一化光学系の光軸上となるように、凹面鏡を配置すればよい。
【００１７】
あるいは、複数の凹面鏡を、回転放物面の一部として構成することが可能である。例えば、回転放物面を略等分割して複数の部分的回転放物面を形成すればよい。この場合、光学的に共役な位置として規定される前記複数の凹面鏡の準線が、前記照度均一化光学系の光軸に略垂直な平面と平行になるように配置される。
【００１８】
例えば、前記複数の凹面鏡は、前記反射光学素子を中心として、前記照度均一化光学系の光軸周りに所定間隔で配置可能である。また、前記複数の凹面鏡が、前記照度均一化光学系の光軸に関して対称的な位置に配置可能である。
【００１９】
前記反射光学素子の形状としては、複数の凹面鏡、複数の光源の個数に従い、三角柱形状、三角錐形状、四角錐形状などに構成することが可能である。また、反射光学素子の反射面は、前記照度均一化光学系の光軸に対して略４５°の角度となる位置に配置することが可能である。
【発明の効果】
【００２０】
本発明によれば、複数の光源を使用しながら、効率よく集光して照明することができる。
【図面の簡単な説明】
【００２１】
【図１】第１の実施形態である露光装置を模式的に示した斜視図である。
【図２】光源装置および照明光学系を示した図である。
【図３】リフレクター、ＬＥＤ、反射プリズムの側面図である。
【図４】リフレクター、ＬＥＤ、反射プリズムの正面図である
【図５】照明光の光路を示した図である。
【図６】第２の実施形態におけるリフレクター、ＬＥＤ、反射プリズムを示した側面図である。
【図７】第２の実施形態におけるリフレクター、ＬＥＤ、反射プリズムを示した正面図である。
【図８】第３の実施形態におけるリフレクター、ＬＥＤ、反射プリズムを示した側面図である。
【図９】第３の実施形態におけるリフレクター、ＬＥＤ、反射プリズムを示した正面図である。
【発明を実施するための形態】
【００２２】
以下では、図面を参照して本発明の実施形態について説明する。
【００２３】
図１は、第１の実施形態である露光装置を模式的に示した斜視図である。
【００２４】
露光装置（描画装置）１０は、フォトレジストなどの感光材料を塗布あるいは貼り付けた基板ＳＷに対し、照明光を投影してパターンを形成する露光装置であって、ゲート状構造体１２、基台１４を備える。基台１４には、描画テーブル１８を支持するＸ−Ｙステージ駆動機構（ここでは、図示せず）が搭載され、描画テーブル１８上に基板ＳＷが設置されている。
【００２５】
描画装置１０は、露光制御部（ここでは図示せず）を備えており、描画制御部によって露光動作が実行、制御される。ゲート状構造体１２には、基板ＳＷの表面にパターンを形成する露光ヘッド１６が設けられ、支持部材（ここでは図示せず）に取り付けられている。また、ゲート状構造体１２の上部には、光源装置２０が配置されている。
【００２６】
光源装置２０から放射される光は、照明光学系（ここでは図示せず）を介して露光ヘッド１６に導かれる。露光ヘッド１６は、ＤＭＤ（Digital Micro-mirror Device）を備えており、微小矩形状マイクロミラーがマトリクス状に２次元配列されている。各マイクロミラーは、描画データに基づいてＯＮ／ＯＦＦ制御される。
【００２７】
描画テーブル１８が走査方向に沿って移動するのに伴って露光動作が実行され、所定の露光ピッチで各マイクロミラーがＯＮ／ＯＦＦ制御される。基板ＳＷを相対移動させながらラスタ走査を順に行うことにより、パターンが基板全体に形成されていく。
【００２８】
図２は、光源装置および照明光学系を示した図である。
【００２９】
光源装置２０は、２つのＬＥＤ４０Ａ、４０Ｂを備え、その周囲に配置されたリフレクター３２Ａ、３２Ｂ、反射プリズム３４とともに光源部３０を構成する。ＬＥＤ４０Ａ、ＬＥＤ４０Ｂから照射された光は、リフレクター３２Ａ、３２Ｂによって反射し、反射プリズム３４へ導かれる。そして、反射プリズム３４に入射した光は反射によって照明光学系７０へ導かれる。
【００３０】
照明光学系７０は、インテグレータレンズ５０、コリメータレンズ６０を備える。微小レンズを配列させた２枚のレンズ群から成るフライアイレンズによって構成されたインテグレータレンズ５０は、入射する照明光の光強度を均一化する。インテグレータレンズ５０の射出側に設けられたコリメータレンズ６０は、照明光を平行光に変換する。照度均一で平行光となった照明光は、露光ヘッド１６に向けて進む。
【００３１】
図３は、リフレクター、ＬＥＤと反射プリズムの側面図である。図４は、リフレクター、ＬＥＤと反射プリズムの正面図である。ただし、リフレクターは１つのみ図示している。
【００３２】
リフレクター３２Ａは、回転楕円面を略４分割することによって形成される部分的楕円面形状になっており、支持部材（図示せず）によって位置決めされている。略円錐状の配光特性を有するＬＥＤ４０Ａは、その回転楕円面の焦点位置において保持部材（図示せず）によって保持されている。また、ＬＥＤ４０Ａは、その射出方向がリフレクター３２Ａの反射面側を向くような姿勢で位置決めされている。図示しないＬＥＤ４０Ｂ、リフレクター３２Ｂも同様な構成になっている。
【００３３】
反射プリズム３４は、断面形状が二等辺三角形である三角柱状プリズムであり、その側面に反射面３４Ａ、３４Ｂを形成する。反射プリズム３４の残りの側面３４Ｃは光軸Ｅに関して垂直である。また、反射面３４Ａ、３４Ｂは、光軸Ｅに関して対称的な位置関係にあり、インテグレータレンズ５０の光軸Ｅに関して略４５度の傾斜角をもつ。
【００３４】
回転楕円面の一部であるリフレクター３２Ａ、３２Ｂは、反射プリズム３４の反射面３４Ａ、３４Ｂの上方もしくは下方側に光軸Ｅに関して対称的な位置に配置されており、光軸Ｅ周りに略１８０度間隔で配置されている。
【００３５】
反射面３４Ａは、リフレクター３２Ａによって反射した光を、反射面３４Ｂは、図示しないリフレクター３２Ｂからの光をそれぞれインテグレータレンズ５０に向けて反射する。この２方向からの光束が合成されてインテグレータレンズ５０に入射する。
【００３６】
図５は、照明光の光路を示した図である。図５を用いて、反射プリズムを用いた集光について説明する。
【００３７】
上述したように、リフレクター３２Ａ、３２Ｂは、回転楕円面の一部を構成する形状であり、２つを組み合わせると、回転楕円面を略半分に分割した形状になる。また、ＬＥＤ４０Ａ、４０Ｂは、その回転楕円面の焦点位置にある。
【００３８】
ここで光学的に共役な位置関係を考えると、反射プリズム３４を配置することにより、共役な位置にある楕円面形状のリフレクター４２（以下、仮想リフレクターという）とＬＥＤ４３（以下、仮想ＬＥＤという）を仮想し、規定することができる。
【００３９】
ただし、ここでの共役とは、光軸に沿って配置される仮想ＬＥＤ４３および仮想リフレクター４２から構成される光源部によってインテグレータレンズ５０へ入射する光の光路と、上述したリフレクター３２Ａ、３２ＢおよびＬＥＤ４０Ａ、４０Ｂから構成される光源部によってインテグレータレンズ５０へ入射する光の光路が、光学的に等価であることを表す。
【００４０】
仮想リフレクター４２は、回転楕円面を略２分割することによって形成される半楕円形状の断面を有し、その焦点ＩＦは光軸Ｅを通り、その反射面はインテグレータレンズ５０の方向を向けて開口するように配置される。リフレクター３２Ａ、３２Ｂは、仮想リフレクター４２の一部に相当する。
【００４１】
したがって、光学的に共役な位置関係を考慮すれば、リフレクター３２Ａ、３２Ｂの他の焦点位置は、インテグレータレンズ５０の光軸Ｅ上にあり、焦点ＩＦと一致する。
【００４２】
一方、仮想ＬＥＤ４３は、その焦点ＩＦに位置し、射出方向は、ＬＥＤ４０Ａ、４０Ｂを組み合わせたものとなる。すなわち、互いに反対方向を向いて径方向外側に向けて略円錐状の配光特性をもつ光が照射する。
【００４３】
このように仮想リフレクター４２と仮想ＬＥＤ４３が配置されていると仮定したとき、仮想ＬＥＤ４３から放射される光ＩＬは、仮想リフレクター４２によって反射した後、インテグレータレンズ５０に入射する。ただし、反射プリズム３４はその間に存在しないものとする。
【００４４】
そして、仮想リフレクター４２のインテグレータレンズ５０に対する入射角（集光角）をθ１、射出角をθ２とすると、図５のように配置された仮想リフレクター４２と仮想ＬＥＤ４３から構成される光源部は、θ１≦θ２を満たすように光を照射する。
【００４５】
従来知られているように、インテグレータレンズ５０の出射側レンズに配列した微小光学素子に形成される光源像がそのサイズを超え、隣接する素子に光が一部入射すると、この光は露光には使用することができず、集光効率が低下する。そのため、θ１≦θ２を満たすように、インテグレータレンズ５０のサイズおよび入射側レンズ、出射側レンズ間の距離を定めるのが望ましい。
【００４６】
しかしながら、被照射面へ入射する光の最大入射角度を表すコリメーション角は、露光条件などによって適正な角度があらかじめ決まっていることが多く、また、出射角θ２も、光学系の配置関係上あらかじめ設定されていることが多い。したがって、インテグレータレンズを大きくし、入射角θ１が大きくても光量ロスをなくすことは困難である。
【００４７】
その一方で、単体では光強度の弱い複数のＬＥＤをそのまま配置すると、ＬＥＤおよびリフレクターの配置場所は、当然光軸から外れた位置になるため、入射角θ１はその分だけ大きくなる。これでは、光量ロスを避けることができない。
【００４８】
また、プリズムなどを用いて複数のＬＥＤの輝点を光軸近傍に配置したとしても、各ＬＥＤは略円錐状の配光特性であるため集光できず、光が拡散していく。したがって、インテグレータレンズの入射角θ１に従って進行しない一部の光が存在し、集光効率が上がらない。
【００４９】
一方、本実施形態では、仮想リフレクター４２と仮想ＬＥＤ４３から成る光源部と同等、等価な光源部を、光軸Ｅ周りに配置されたＬＥＤ４０Ａ、４０Ｂ、リフレクター３２Ａ、３２Ｂ、そして反射プリズム３４から得ている。これは、反射プリズム３４を光軸上に配置し、反射面３４Ａ、３４Ｂに関して仮想リフレクター４２と共役な位置に、リフレクター３２Ａ、３２Ｂを向かい合わせで配置したことによる。
【００５０】
ＬＥＤ４０Ａ、４０Ｂおよびリフレクター３２Ａ、３２Ｂから照射される光は、あたかも仮想ＬＥＤ４３および仮想リフレクター４２が存在すると仮定したときにインテグレータレンズ５０へ入射する光と同じ光束を形成する。また、仮想リフレクター４２の焦点位置にある単体の仮想ＬＥＤ４３は、２つのＬＥＤ４０Ａ、４０Ｂの配光特性をそれぞれ持つ。
【００５１】
よって、この仮想リフレクター４２と仮想ＬＥＤ４３が、インテグレータレンズ５０への入射角θ１が出射角θ２以下となる配置を決定し、そして、反射プリズム３４を設置したとき、その反射面に関して共役な位置にＬＥＤ４０Ａ、４０Ｂおよびリフレクター３２Ａ、３２Ｂを配置することにより、同じ入射角条件を満たす光源部を構成することができる。
【００５２】
このように本実施形態によれば、インテグレータレンズ５０の光軸Ｅ周りに回転楕円面の一部であるリフレクター３２Ａ、３２Ｂを対向配置し、それぞれの焦点位置にＬＥＤ４０Ａ、４０Ｂが配置される。そして、反射プリズム３４を光軸上に配置することによって、ＬＥＤ４０Ａ、４０Ｂから射出した光を、インテグレータレンズ５０に入射させる。このとき、インテグレータレンズ５０の入射角θ１が出射角θ２以下となるように、リフレクター３２Ａ、３２Ｂが配置される。
【００５３】
インテグレータレンズ５０の光軸に沿って配置される仮想リフレクター４２、仮想ＬＥＤ４３を想定し、この光源部からの光が入射角条件を満たすように構成し、それと共役な位置にリフレクター３２Ａ、３２Ｂ、ＬＥＤ４０Ａ、４０Ｂを配置することにより、ＬＥＤのような略円錐状の拡散光であるにも関わらず、効率よく照明光を露光に使用できる。
【００５４】
しかも、２つのＬＥＤ４０Ａ、４０Ｂの配光特性を有する光源を、擬似的に１つの焦点位置から射出することを実現している。実際にＬＥＤを１つ焦点位置に配置しても、１つの配光特性しか得られない。また、ＬＥＤ自身の大きさのため、焦点位置に２つのＬＥＤを配置することは不可能である。
【００５５】
しかしながら、本実施形態のように、共役な位置関係に複数のＬＥＤ、リフレクターを配置することにより、軸周り全体に渡って放射状の照明光を放出する放電ランプと同等の光を、照射領域の狭い配光特性をもつＬＥＤを使って得ることが可能となる。
【００５６】
次に、図６、７を用いて、第２の実施形態について説明する。第２の実施形態では、３つのＬＥＤとリフレクターが使用される。それ以外の構成については、実質的に第１の実施形態と同じである。
【００５７】
図６は、第２の実施形態におけるリフレクター、ＬＥＤ、反射プリズムを示した側面図である。図７は、第２の実施形態におけるリフレクター、ＬＥＤ、反射プリズムを示した正面図である。
【００５８】
図６、７に示すように、反射プリズム１３４は、反射面１３４Ａ、１３４Ｂ、１３４Ｃをもつ三角錐形状プリズムであり、各反射面に合わせて３つのリフレクターおよびＬＥＤが配置される。ただし、図６、７では、１つのＬＥＤ１４０Ａおよびリフレクター１３２Ａのみ図示している。
【００５９】
３つのリフレクターは、光軸Ｅ周りに略等間隔で配置されており、光軸Ｅに関して対称的配置となっている。これにより、３つのＬＥＤからリフレクター、反射プリズムを通じてインテグレータレンズ５０に入射する光は、第１の実施形態に示した仮想リフレクター４２、仮想ＬＥＤ４３を規定した場合と同等の光となる。ただし、３つのＬＥＤを使用するため、仮想ＬＥＤ４３は、それぞれ異なる径方向に沿って略円錐形状に拡散する３つの配光特性をもつ。
【００６０】
次に、図８、９を用いて、第３の実施形態について説明する。第３の実施形態では、４つのＬＥＤとリフレクターが使用される。それ以外の構成については、実質的に第１の実施形態と同じである。
【００６１】
図８は、第３の実施形態におけるリフレクター、ＬＥＤ、反射プリズムを示した側面図である。図９は、第３の実施形態におけるリフレクター、ＬＥＤ、反射プリズムを示した正面図である。
【００６２】
図８、９に示すように、反射プリズム２３４は、反射面２３４Ａ、２３４Ｂ、２３４Ｃ、２３４Ｄをもつ四角錐形状プリズムであり、各反射面に合わせて４つのリフレクターおよびＬＥＤが配置される。ただし、図８、９では、１つのＬＥＤ２４０Ａおよびリフレクター２３２Ａのみ図示している。
【００６３】
４つのリフレクターは、光軸Ｅ周りに略等間隔で配置されており、光軸Ｅに関して対称的配置となっている。これにより、４つのＬＥＤからリフレクター、反射プリズムを通じてインテグレータレンズ５０に入射する光は、第１の実施形態に示した仮想リフレクター４２、仮想ＬＥＤ４３を規定した場合と同等の光となる。ただし、４つのＬＥＤを使用するため、仮想ＬＥＤ４３は、それぞれ異なる径方向に沿って略円錐形状に拡散する３つの配光特性をもつ。
【００６４】
なお、入射角条件については、光学系の構成、露光条件などに鑑み、出射角以外の角度を条件として設定してもよい。また、焦点を有する形状であれば、任意の数によってリフレクターを構成してもよい。例えば、回転楕円面を略等分割して複数のリフレクターを形成する場合、光学的共役な位置関係を考慮して、各リフレクターのＬＥＤを配置しない他方の焦点位置（すなわち、仮想リフレクターの焦点位置）が、インテグレータレンズの光軸上に位置するように、リフレクターを配置し、また、反射プリズムの反射面の配置場所、形状、光軸に対する傾斜角度を設定すればよい。
【００６５】
あるいは、回転放物面を略均等に分割して形成される部分的回転放物面をリフレクターとして用いてもよい。この場合、それぞれの部分的回転放物面の共役な位置に規定される準線、すなわち仮想の単一回転放物面の準線が、インテグレータレンズの光軸に略垂直な平面に対して平行となるように、複数のリフレクターを配置してもよい。
【００６６】
インタグレータレンズ以外の光学素子であって光照度を均一化する光学素子を用いてもよい。また、インテグレータレンズと反射プリズムとの間にコリメータレンズを配置してもよい。さらには、ＬＥＤ以外の光源を用いることも可能である。反射プリズムの形状も、上記以外の形状にすることが可能であり、プリズム以外の光学素子（ミラー）によって構成することが可能である。
【符号の説明】
【００６７】
１０  露光装置
３０  光源部
３２Ａ  リフレクター
３２Ｂ  リフレクター
４０Ａ  ＬＥＤ
４０Ｂ  ＬＥＤ
４２  仮想リフレクター
４３  仮想ＬＥＤ
【図１】
2013207163.tif 000003
【図２】
2013207163.tif 000004
【図３】
2013207163.tif 000005
【図４】
2013207163.tif 000006
【図５】
2013207163.tif 000007
【図６】
2013207163.tif 000008
【図７】
2013207163.tif 000009
【図８】
2013207163.tif 000010
【図９】
2013207163.tif 000011